(57)【要約】【課題】開き操作時に誤って折畳み式携帯端末を落とすことなく左右いずれの方向からも簡単に開き操作が行えるようにすると共に、開き操作を行うボタンが外観に露出しないようにする。【解決手段】折畳み式携帯電話機１（折畳み式携帯端末）に、第１の筐体３と、第２の筐体５と、これら第１の筐体３と第２の筐体５とを折り畳み開閉自在に連結するヒンジ部６とを設ける。そして、第１の筐体３と第２の筐体５とを閉じた状態から、第１の筐体３を第２の筐体５に対してヒンジ部６の軸方向に沿って左右いずれの方向へスライド移動させても、第１の筐体３が第２の筐体５に対して自動的に開くようにする。【選択図】図２
2010283692.tif 000002
【特許請求の範囲】
【請求項１】
第１の筐体と、第２の筐体と、該第１の筐体と第２の筐体とを折り畳み開閉自在に連結するヒンジ部とを備えた折畳み式携帯端末において、
上記第１の筐体と第２の筐体とを閉じた状態から、該第１の筐体を第２の筐体に対して上記ヒンジ部の軸方向に沿って、左右いずれの方向へスライド移動させても、該第１の筐体が第２の筐体に対して自動的に開くように構成されている
ことを特徴とする折畳み式携帯端末。
【請求項２】
請求項１に記載の折畳み式携帯端末において、
上記ヒンジ部は、
上記第１の筐体のヒンジ部側両角部から水平方向へそれぞれ膨出する一対の外側ボス部と、
上記第２の筐体のヒンジ部側端部に該ヒンジ部の軸方向中央表面から該第２の筐体の厚さ方向へ膨出した状態で上記一対の外側ボス部間に配置され、該第２の筐体に対して上記ヒンジ部の軸方向にスライド移動可能な内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのロック解除用ボタンと、
上記第２の筐体に回動可能に支持されると共に、先端が上記内側ボス部内に挿入され、上記第１の筐体が上記ヒンジ部の軸方向に沿って左右いずれの方向にスライドされたときでも、上記先端が上記ロック解除用ボタンに当接して押圧する回動式ボタン押圧部と、
を備えている
ことを特徴とする折畳み式携帯端末。
【請求項３】
請求項２に記載の折畳み式携帯端末において、
上記回動式ボタン押圧部は、
上記第１の筐体のスライド方向と垂直な回動軸を備え、
上記第１の筐体が上記ロック解除用ボタンの押圧方向にスライドされたときには、上記第１の筐体と共にスライドする上記内側ボス部に押されて回動し、上記先端が上記ロック解除用ボタンに当接して押圧し、
上記第１の筐体が上記ロック解除用ボタンの押圧方向と反対側にスライドされたときには、上記第２の筐体側に押されて回動規制され、上記先端が上記内側ヒンジ部と共にスライド移動する上記ロック解除用ボタンに当接して押圧するように構成されている
ことを特徴とする折畳み式携帯端末。
【請求項４】
請求項３に記載の折畳み式携帯端末において、
上記内側ボス部には、上記回動式ボタン押圧部が挿通される押圧部挿通用開口が形成され、
上記押圧部挿通用開口の周縁と、上記回動式ボタン押圧部との間の間隔は、上記ロック解除用ボタン側が広く、該ロック解除用ボタンと反対側は狭く設定されている
ことを特徴とする折畳み式携帯端末。
【請求項５】
請求項２乃至４のいずれか１つに記載の折畳み式携帯端末において、
上記第２の筐体のヒンジ部側端部には、上記外側ボス部及び上記内側ボス部が収容されるボス部収容凹部が凹陥され、
上記外側ボス部及び上記内側ボス部は、上記ボス部収容凹部上を上記第１水平ヒンジ軸に沿って左右いずれの方向にもスライド移動するように構成されている
ことを特徴とする折畳み式携帯端末。
【請求項６】
請求項５に記載の折畳み式携帯端末において、
上記第１の筐体が左右いずれの方向にスライド移動した場合でも、上記開操作補助用付勢部材のロックを解除した後、上記第１の筐体を第２の筐体に対して左右中心位置に押し戻す押し戻し機構が設けられている
ことを特徴とする折畳み式携帯端末。
【請求項７】
請求項６に記載の折畳み式携帯端末において、
上記押し戻し機構は、上記ロック解除用ボタンの外周に嵌め込まれた圧縮コイルバネよりなり、
上記圧縮コイルバネは、上記回動式ボタン押圧部が上記開操作補助用付勢部材のロックを解除した後、上記回動式ボタン押圧部を付勢して上記第１の筐体を第２の筐体に対して左右中心位置に押し戻すように構成されている
ことを特徴とする折畳み式携帯端末。
【請求項８】
請求項１乃至７のいずれか１つに記載の折畳み式携帯端末において、
上記第１の筐体の表面には、表示部が設けられ、
上記第２の筐体の表面には、操作部が設けられている
ことを特徴とする折畳み式携帯端末。
【請求項９】
請求項１乃至８のいずれか１つに記載の折畳み式携帯端末において、
上記第２水平ヒンジ軸は、中空に形成され、該第２水平ヒンジ軸には、上記第１の筐体内の基板と上記第２の筐体内の基板とを電気的に接続する信号線が挿通されている
ことを特徴とする折畳み式携帯端末。
【発明の詳細な説明】
【技術分野】
【０００１】
本発明は、折畳み式携帯端末に関し、特にその自動開閉構造に関する。
【背景技術】
【０００２】
従来より、折畳み式携帯電話機に代表される折畳み式携帯端末では、片手で下筐体を持ち、他方の手で上筐体を持ち上げてヒンジ部を中心に開くようになっており、両手を使って開くのが一般的であった。
【０００３】
しかし、両手を使って開くのが面倒な場合があり、片手だけでワンタッチで開き操作を行いたいというニーズが増えていた。
【０００４】
そこで、例えば特許文献１の折畳み式携帯電話機は、第１筐体と、第２筐体と、第１筐体に固定され、第２筐体を第１筐体に回転自在に連結するためのヒンジ部とを備え、ヒンジ部は、操作部を備え、第２筐体は、操作部の操作に応じて、閉じられた状態を示す第１角度位置から予め決められた角度位置を示す第２角度位置まで開き、操作部の操作がないとき、第１角度位置、第２角度位置、第１角度位置と第２角度位置との間の第３角度位置のいずれか一方の角度位置に維持されるというフリーストップ機能とワンタッチオープン機能とを選択的に利用している。
【０００５】
また、特許文献２の折畳み式携帯電話機は、上筐体及び下筐体と、上筐体及び下筐体の境界線に沿って配置された回動軸を中心として上筐体及び下筐体を相対的に回動可能に連結する連結部と、上下の筐体を自動的に開くワンプッシュ自動開き機構と、ワンプッシュ自動開き機構を操作して上下の筐体を開く解除手段とを備え、解除手段の第１操作部及び第２操作部をそれぞれ連結部の両端部に設け、第１操作部及び第２操作部を連動可能とし、使用者の嗜好や使用する形態、状況等に対応して、各操作部を選択的に操作可能としている。
【先行技術文献】
【特許文献】
【０００６】
【特許文献１】特開２００２−３４４５９７号公報
【特許文献２】特開２００６−３２４９２７号公報
【発明の概要】
【発明が解決しようとする課題】
【０００７】
上記特許文献１及び２では、いずれも片手で本体を持ってワンタッチオープンするために親指又は人差し指をヒンジの側面から露出するボタンに当ててプッシュする。このとき、ボタンを小さな力で押せることから、携帯電話機を軽く保持したまま第１筐体が開かれることが多く、バネなどによる第１筐体を開く方向に付勢する力が強ければ、第１筐体が開ききったときに反動が生じ、携帯電話機を落下してしまうおそれがあった。
【０００８】
また、上記特許文献１及び２では、開き操作を行うボタンが外観に露出しているので見映えが悪い。さらに、ボタンが露出していることから、携帯電話機を閉じた状態で落下させてしまったときに、開き操作を行うボタンが誤って押されることがあり、意図せず携帯電話機が開いて表示部などに傷が付きやすいという問題もある。また、鞄の中で勝手に開き操作を行うボタンが押されて携帯電話機が開いてしまうこともある。
【０００９】
さらには、左右いずれの指でも操作できるようにしたいというニーズもある。
【００１０】
本発明は、かかる点に鑑みてなされたものであり、その目的とするところは、開き操作時に反動で折畳み式携帯端末を落とすことなく、左右いずれの方向からも簡単に開き操作が行えると共に、開き操作を行うボタンが外観に露出しないようにすることにある。
【課題を解決するための手段】
【００１１】
上記の目的を達成するために、この発明では、第１の筐体自体をヒンジ部の軸心に沿って左右いずれの方向にもスライド移動可能とした。
【００１２】
具体的には、第１の発明では、第１の筐体と、第２の筐体と、該第１の筐体と第２の筐体とを折り畳み開閉自在に連結するヒンジ部とを備えた折畳み式携帯端末を前提とし、
上記折畳み式携帯端末は、
上記第１の筐体と第２の筐体とを閉じた状態から、該第１の筐体を第２の筐体に対して上記ヒンジ部の軸方向に沿って、左右いずれの方向へスライド移動させても、該第１の筐体が第２の筐体に対して自動的に開くように構成されている。
【００１３】
上記の構成によると、第１の筐体自体を押圧すればよく、従来のようにヒンジ部の側面にロックを解除するための操作ボタンを設ける必要がないので、見映えがよい。また、開き操作時には、第１の筐体自体を押して第２の筐体に対してヒンジ部の軸方向に沿ってスライド移動させるために、第２の筐体をしっかりと掴んで第１の筐体を押すこととなり、第１の筐体が開いたときに反動があったとしても、折畳み式携帯端末を誤って落とすことはない。さらに、開き操作をするボタンが露出していないので、閉じた状態で誤って落下させた場合や、鞄の中で動いたときなどに意図せずボタンが押されて第１の筐体が開くことはない。しかも、左右いずれの方向へスライド移動させても、第１の筐体が開くので、開き操作が容易である。
【００１４】
第２の発明では、第１の発明において、
上記ヒンジ部は、
上記第１の筐体のヒンジ部側両角部から水平方向へそれぞれ膨出する一対の外側ボス部と、
上記第２の筐体のヒンジ部側端部に該ヒンジ部の軸方向中央表面から該第２の筐体の厚さ方向へ膨出した状態で上記一対の外側ボス部間に配置され、該第２の筐体に対して上記ヒンジ部の軸方向にスライド移動可能な内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのロック解除用ボタンと、
上記第２の筐体に回動可能に支持されると共に、先端が上記内側ボス部内に挿入され、上記第１の筐体が上記ヒンジ部の軸方向に沿って左右いずれの方向にスライドされたときでも、上記先端が上記ロック解除用ボタンに当接して押圧する回動式ボタン押圧部と、
を備えている。
【００１５】
上記の構成によると、ロック解除用ボタンと回動式ボタン押圧部とが内側ボス部内に収容されているので、従来のようにヒンジ部の側面に露出する場合に比べて極めて見映えがよく、意図せずロック解除用ボタンが押されにくい。また、第１の筐体をヒンジ部の軸心に沿って左右いずれの方向にスライドさせても、回動式ボタン押圧部がロック解除用ボタンを押圧し、開操作補助用付勢機構のロックを解除して第１の筐体が第２の筐体に対して開くように付勢する。第１の筐体を押す際には、第２の筐体でしっかり反力を取るように第２の筐体を握っているので、開操作補助用付勢機構の付勢力が強くて第１の筐体が開ききったときに大きな反動が生じたとしても、折畳み式携帯端末を落とすことはない。
【００１６】
第３の発明では、第２の発明において、
上記回動式ボタン押圧部は、
上記第１の筐体のスライド方向と垂直な回動軸を備え、
上記第１の筐体が上記ロック解除用ボタンの押圧方向にスライドされたときには、上記第１の筐体と共にスライドする上記内側ボス部に押されて回動し、上記先端が上記ロック解除用ボタンに当接して押圧し、
上記第１の筐体が上記ロック解除用ボタンの押圧方向と反対側にスライドされたときには、上記第２の筐体側に押されて回動規制され、上記先端が上記内側ヒンジ部と共にスライド移動する上記ロック解除用ボタンに当接して押圧するように構成されている。
【００１７】
上記の構成によると、回動式ボタン押圧部は、第１の筐体のスライド方向と垂直な回動軸を中心に回動可能に支持されているので、第１の筐体が左右いずれか一方のロック解除用ボタンの押圧方向にスライドされたときには、第１の筐体と共にスライドする内側ボス部に押されて回動し、その先端がロック解除用ボタンを押圧し、第１の筐体が第２の筐体に対して自動的に開く。一方、回動式ボタン押圧部は、第１の筐体が他方にスライドされたときには第２の筐体側に押されて回動しないように規制され、その規制状態で、その先端が内側ヒンジ部と共にスライドして近付いてくるロック解除用ボタンを押圧し、第１の筐体が第２の筐体に対して自動的に開く。このように左右いずれの方向に第１の筐体がスライドされても、１つの回動式ボタン押圧部でロック解除用ボタンを押圧することができる。
【００１８】
第４の発明では、第３の発明において、
上記内側ボス部には、上記回動式ボタン押圧部が挿通される押圧部挿通用開口が形成され、
上記押圧部挿通用開口の周縁と、上記回動式ボタン押圧部との間の間隔は、上記ロック解除用ボタン側が広く、該ロック解除用ボタンと反対側は狭く設定されている。
【００１９】
上記の構成によると、第１の筐体がロック解除用ボタンの押圧方向にスライドされたときには、内側ボス部も第１の筐体と一緒にスライドするが、押圧部挿通用開口の周縁と回動式ボタン押圧部との間の間隔が狭いので、回動式ボタン押圧部が押圧部挿通用開口の周縁に押されて回動軸を中心に内側ボス部のスライド量よりも大きくロック解除用ボタン側へ回動し、ロック解除用ボタンが押圧される。一方、第１の筐体がロック解除用ボタンの押圧方向と反対側にスライドされたときには、内側ボス部が第１の筐体と一緒にスライドしても、押圧部挿通用開口の周縁と回動式ボタン押圧部との間の間隔が広く設定されているので、内側ボス部に当接せず、回動式ボタン押圧部は、回動しない規制状態にある。そして、第１水平ヒンジ軸は、内側ボス部と共に移動するので、ロック解除用ボタンが回動規制状態の回動式ボタン押圧部の先端に近付いて押圧される。このように左右いずれの方向に第１の筐体がスライドされても、１つの回動式ボタン押圧部でロック解除用ボタンを押圧することができる。
【００２０】
第５の発明では、第２〜第４のいずれか１つの発明において、
上記第２の筐体のヒンジ部側端部には、上記外側ボス部及び上記内側ボス部が収容されるボス部収容凹部が凹陥され、
上記外側ボス部及び上記内側ボス部は、上記ボス部収容凹部上を上記第１水平ヒンジ軸に沿って左右いずれの方向にもスライド移動するように構成されている。
【００２１】
上記の構成によると、外側ボス部及び内側ボス部が第２の筐体のボス部収容凹部上を左右いずれの方向にもスライド移動するので、スライド移動後に第１の筐体が第２の筐体に対して開くのを阻害しないように、第１の筐体を押す指以外の指は、第２の筐体をしっかりと握らざるを得ず、第１の筐体が開ききったときの反動が大きくても、その反動が原因で折畳み式携帯端末を落とすことはない。
【００２２】
第６の発明では、第５の発明において、
上記第１の筐体が左右いずれの方向にスライド移動した場合でも、上記開操作補助用付勢部材のロックを解除した後、上記第１の筐体を第２の筐体に対して左右中心位置に押し戻す押し戻し機構が設けられている。
【００２３】
上記の構成によると、左右いずれの方向にスライド移動した場合でも、第１の筐体が第２の筐体に対して開いた後、押し戻し機構が第１の筐体をスライド移動前の左右中心位置に押し戻すので、手で第１の筐体を左右中心位置に戻す必要がなく、開き操作が簡単となる。また、押し戻し機構が常に第１の筐体を押圧しているので、その付勢力に抗する力で第１の筐体を左右いずれかの方向にスライド移動させる必要があることから、折畳み式携帯端末を落下させたときの衝撃を受けたときや鞄の中で動いたときなどに第１の筐体がスライド移動して意図せず第１の筐体が開いてしまうことはない。
【００２４】
第７の発明では、第６の発明において、
上記押し戻し機構は、上記ロック解除用ボタンの外周に嵌め込まれた圧縮コイルバネよりなり、
上記圧縮コイルバネは、上記回動式ボタン押圧部が上記開操作補助用付勢部材のロックを解除した後、上記回動式ボタン押圧部を付勢して上記第１の筐体を第２の筐体に対して左右中心位置に押し戻すように構成されている。
【００２５】
上記の構成によると、ロック解除用ボタンの外周に嵌め込まれた圧縮コイルバネが回動式ボタン押圧部を押し戻し、このことで、圧縮コイルバネの付勢力が回動式ボタン押圧部を介して確実に第１の筐体に伝達され、第１の筐体が左右中心位置に押し戻される。また、弾性部材は、ロック解除用ボタンの外周に嵌め込まれているので、簡単な構造で、かつスペースを有効利用できる。
【００２６】
第８の発明では、第１乃至第７のいずれか１つの発明において、
上記第１の筐体の表面には、表示部が設けられ、
上記第２の筐体の表面には、操作部が設けられている。
【００２７】
上記の構成によると、待機時は傷が入りやすい表示部を内側にして第１の筐体を閉じておけば、誤って第１の筐体が開いて表示部に傷が付くことはなく、使用時には第１の筐体をスライド移動させるだけで開くので、使い勝手がよい。
【００２８】
第９の発明では、第１乃至第８のいずれか１つの発明において、
上記第２水平ヒンジ軸は、中空に形成され、該第２水平ヒンジ軸には、上記第１の筐体内の基板と上記第２の筐体内の基板とを電気的に接続する信号線が挿通されている。
【００２９】
上記の構成によると、ヒンジ部内に信号線を通しているので、第１の筐体が第２の筐体に対してスライド移動された後、信号線が、第１の筐体が開くのを阻害することはない。
【発明の効果】
【００３０】
以上説明したように、本発明によれば、第１の筐体を第２の筐体に対してヒンジ軸の軸方向に沿って、左右いずれの方向へスライド移動させても、第１の筐体と第２の筐体とを閉じた状態から第１の筐体が第２の筐体に対して自動的に開くようにしたことにより、反動で折畳み式携帯端末を落とすことなく左右いずれの方向からでも簡単に開き操作が行えると共に、開き操作を行うボタンが外観に露出しないので、折畳み式携帯端末の見映えをよくすることができ、また意図せず第１の筐体が開くのを防止することができる。
【図面の簡単な説明】
【００３１】
【図１】本発明の実施形態にかかる折畳み式携帯電話機の閉じた状態を第１の筐体側から見た斜視図である。
【図２】折畳み式携帯電話機が開いた状態を示す斜視図である。
【図３】折畳み式携帯電話機を第１の筐体側から見た分解斜視図である。
【図４】折畳み式携帯電話機を第２の筐体側から見た分解斜視図である。
【図５】閉じた状態にある折畳み式携帯電話機に内蔵されたヒンジ部を第１の筐体側から透視して見た斜視図である。
【図６】閉じた状態にある折畳み式携帯電話機に内蔵されたヒンジ部を第２の筐体側から透視して見た斜視図である。
【図７】図５のヒンジ部を拡大して示す斜視図である。
【図８】図６のヒンジ部を拡大して示す斜視図である。
【図９】閉じた状態にあるヒンジ部を上側から第１の筐体を透視して見た断面図である。
【図１０】左側へ第１の筐体をスライドさせた状態にあるヒンジ部を上側から第１の筐体を透視して見た断面図である。
【図１１】第１の筐体が開いた状態にあるヒンジ部を上側から第１の筐体を透視して見た断面図である。
【図１２】右側へ第１の筐体をスライドさせた状態にあるヒンジ部を上側から第１の筐体を透視して見た断面図である。
【発明を実施するための形態】
【００３２】
以下、本発明の実施形態を図面に基づいて説明する。
【００３３】
図１及び図２に本発明の実施形態にかかる折畳み式携帯端末としての折畳み式携帯電話機１を示し、この折畳み式携帯電話機１は、表面に表示部２を備えた第１の筐体３と、表面に操作部４を備えた第２の筐体５とを備えている。なお、操作部４の詳細は図示していないが、複数の操作ボタンを有するものでもタッチパネルでもよい。これら第１の筐体３と第２の筐体５とは、ヒンジ部６で折り畳み開閉自在に連結されている。第１の筐体３と第２の筐体５とは、共に略矩形板形状を有し、第１の筐体３が第２の筐体５に対して閉じられた状態（図１参照）で略直方体となって携帯が容易となっている。なお、本実施形態では、説明の都合上、図２に示すように、第１の筐体３を第２の筐体５に対して開いて第２の筐体５を手に持った状態で、第１の筐体３側を上側、第２の筐体５側を下側としている。
【００３４】
そして、本実施形態の折畳み式携帯電話機１は、図１に矢印で示すように、第１の筐体３と第２の筐体５とを閉じた状態から、矢印で示すように第１の筐体３を第２の筐体５に対して上記ヒンジ部６の軸方向に沿って左右いずれの方向にスライド移動させた場合でも、第１の筐体３が第２の筐体５に対して自動的に開くように構成されている。
【００３５】
具体的には、図３及び図４に示すように、ヒンジ部６は、第１の筐体３のヒンジ部６側両角部（下側の左右角部）から水平方向へそれぞれ膨出する一対の円筒状の外側ボス部１０を備えている。外側ボス部１０は、例えば、第１の筐体３を構成する樹脂成形品を成形する際に同時に成形される。
【００３６】
また、ヒンジ部６は、その軸方向にスライド移動可能な内側ボス部１１を備えている。内側ボス部１１は、第２の筐体５のヒンジ部６側端部（上側端部）に該ヒンジ部６の軸方向（左右方向）中央表面から第２の筐体５の厚さ方向へ膨出するように形成されている。この内側ボス部１１は、一対の外側ボス部１０間に配置されている。
【００３７】
図５及び図６では、見やすくするために第１の筐体３及び第２の筐体５の内部を見えるようにしている。図７〜図１２にも示すように、これら一対の外側ボス部１０、内側ボス部１１内には、左右に延び、互いに軸心が一致した第１水平ヒンジ軸１３及び第２水平ヒンジ軸１４が収容されている。内側ボス部１１は、第１水平ヒンジ軸１３を収容する第１ヒンジ収容穴１１ａを有する円筒状第１ボス部１１ｂと、この第１ボス部１１ｂが設けられていない、断面円弧状の凹部１１ｃとを有し、この凹部１１ｃには、第１ボス部１１ｂと間隔をあけるように第２ボス部１１ｄが、凹部１１ｃに設けたネジ挿通孔１１ｇ（図３及び図４に示す）に挿通されたネジ５０で固定されている。また、第２ボス部１１ｄの中心に形成した第２ヒンジ収容穴１１ｅ（図１に示す）に第２水平ヒンジ軸１４が収容されるようになっている。図１〜図４に示すように、第２ボス部１１ｄは、断面円弧状のカバー１１ｆで覆われ、外観上、第１ボス部１１ｂと面一になっている。
【００３８】
第１水平ヒンジ軸１３は、上記第１ヒンジ収容穴１１ａと左側の外側ボス部１０とに挿通されている。第１水平ヒンジ軸１３内には、第１の筐体３と第２の筐体５とを開く方向に付勢すると共に、付勢力を蓄えた状態でロック可能な公知の開操作補助用付勢機構（詳細図示せず）が設けられている。この開操作補助用付勢機構は、内部に弾性部材を備え、第１水平ヒンジ軸１３の外軸１３ａと内軸１３ｂとは、それぞれ、第１ボス部１１ｂと、外側ボス部１０とに回転不能に連結され、相対的に所定の方向に回転されたとき、すなわち、第１の筐体３が第２の筐体５に対して閉じられたときに、この弾性部材が付勢力を蓄えるようになっている。そして、第１水平ヒンジ軸１３の右側端部からは、開操作補助用付勢部材のロックを解除するためのロック解除用ボタン１５が突出している。ロック解除用ボタン１５を押圧すると、弾性部材が蓄えていた付勢力が開放され、外軸１３ａと内軸１３ｂとが互いに相対的に回転し、第１の筐体３が第２の筐体５に対して自動的に開くようになっている。
【００３９】
一方、図９に示すように、第２水平ヒンジ軸１４は、本実施形態では、中実の金属製の棒よりなり、右側の外側ボス部１０と第２ヒンジ収容穴１１ｅとに収容されている。
【００４０】
図３に示すように、第２の筐体５のヒンジ部６側端部（上端部）は、曲面状に切り欠かれたボス部収容凹部２０が形成されている。このボス部収容凹部２０に外側ボス部１０及び内側ボス部１１が収容（載置）されるようになっている。そして、外側ボス部１０及び内側ボス部１１は、ボス部収容凹部２０の表面上を第１水平ヒンジ軸１３に沿って左右いずれの方向にもスライド移動するように構成されている。
【００４１】
さらにボス部収容凹部２０からは、回動式ボタン押圧部２１が第２の筐体５の厚さ方向に垂直に突出している。この回動式ボタン押圧部２１は、第１の筐体３のスライド方向と垂直な、すなわち第２の筐体５の長手方向に伸びる回動軸２１ａを備え、この回動軸２１ａがボス部収容凹部２０の左右中央寄りに形成した矩形状の押圧部支持用開口２２に裏側から挿入され、その軸受部２２ａに回動可能に支持されている。回動式ボタン押圧部２１の先端２１ｂは、押圧部支持用開口２２を通ってさらに内側ボス部１１において押圧部支持用開口２２に対応して形成した矩形状の押圧部挿通用開口２３から飛び出している。図９に示すように、押圧部挿通用開口２３の周縁と、回動式ボタン押圧部２１との間の間隔は、ロック解除用ボタン１５側が広く、所定の隙間Ｃ１が保たれている。一方、ロック解除用ボタン１５と反対側は狭く、回動式ボタン押圧部２１の基端側と押圧部支持用開口２２の内壁２２ｂとが接するように設定されている。つまり、回動式ボタン押圧部２１は、ロック解除用ボタン１５側の一方向のみに回動可能となっている。
【００４２】
また、ボス部収容凹部２０には、内側ボス部１１を左右方向にスライド可能に支持すると共に、抜け止めするための機構が設けられている。具体的には、押圧部支持用開口２２と間隔をあけて、その左側に矩形状の内側ボス部支持用開口２４が形成されている。この内側ボス部支持用開口２４は、裏面側２４ａが大きく開口され、表面側２５ｂは裏面側２４ａよりも小さく開口され、段差状に形成されている。この内側ボス部支持用開口２４に対応して内側ボス部１１に一対のネジ穴１１ｈ（図４に示す）が形成されている。そして、内側ボス部支持用開口２４の段差部を内側ボス部１１と、矩形板状のスライド部材２５とで挟持した状態で、このスライド部材２５に設けたネジ挿通孔２５ａにネジ５０を挿通してネジ穴１１ｈに締結するようになっている。このスライド部材２５が、内側ボス部支持用開口２４内でスライド移動可能に構成され、このことで、内側ボス部１１が抜け止めされている。
【００４３】
同様に、図３及び図４に示すように、内側ボス部１１の凹部１１ｃの裏側及び下方には、それぞれ抜け止め部材２６が突出して形成され、これらの抜け止め部材２６に対応してボス部収容凹部２０の表側にもそれぞれレール穴２７が形成されている。これらの抜け止め部材２６がそれぞれレール穴２７に挿入された状態でスライド移動することで、スライド部材２５と協働して内側ボス部１１（第１の筐体３）のスライド移動が滑らかに行われるようになっている。
【００４４】
このように構成することで、回動式ボタン押圧部２１は、第１の筐体３がロック解除用ボタン１５の押圧方向にスライドされたときには、第１の筐体３と共にスライドする内側ボス部１１に押されて回動し、その先端２１ｂがロック解除用ボタン１５に当接して押圧し、第１の筐体３がロック解除用ボタン１５の押圧方向と反対側にスライドされたときには、第２の筐体５の内壁２２ｂに押されて回動規制され、その先端２１ｂがロック解除用ボタン１５に当接して押圧するように構成されている。
【００４５】
そして、折畳み式携帯電話機１は、第１の筐体３がスライド移動して開操作補助用付勢部材のロックを解除した後、第１の筐体３を第２の筐体５に対して左右中心位置に押し戻す押し戻し機構が設けられている。具体的には、ロック解除用ボタン１５の外周には、押し戻し機構として、圧縮コイルバネ１６が嵌め込まれている。このため、スペースが有効利用されている。そして、回動式ボタン押圧部２１が圧縮コイルバネ１６に付勢されたロック解除用ボタン１５で付勢されることで、第１の筐体３がぐらつかないようになっている。
【００４６】
−折畳み式携帯電話機の組立手順−
次に、本実施形態にかかる折畳み式携帯電話機１の組立手順について説明する。
【００４７】
まず、図３及び図４に示すように、第１ヒンジ収容穴１１ａに左右外側から第１水平ヒンジ軸１３を嵌合させる。
【００４８】
次いで、圧縮コイルバネ１６をロック解除用ボタン１５の外周に嵌め込む。
【００４９】
次いで、内側ボス部１１を一対の外側ボス部１０の間に挟み込む。
【００５０】
次ぎに、第２ボス部１１ｄの第２ヒンジ収容穴１１ｅに第２水平ヒンジ軸１４を挿入する。
【００５１】
次いで、第２ボス部１１ｄを凹部１１ｃ上に載置して裏面側からネジ挿通孔１１ｇにネジ５０を挿通して第２ボス部１１ｄに締結する。
【００５２】
次いで、回動式ボタン押圧部２１をボス部収容凹部２０に裏面側から嵌め込む。
【００５３】
次いで、内側ボス部支持用開口２４の段差部を内側ボス部１１とスライド部材２５とで挟持した状態で、スライド部材２５のネジ挿通孔２５ａにネジ５０を挿通し、内側ボス部１１のネジ穴１１ｈに締結する。
【００５４】
以上により、折畳み式携帯電話機１が組み立てられる。
【００５５】
−折畳み式携帯電話機の開閉手順−
次に、本実施形態にかかる折畳み式携帯電話機１の開閉手順について説明する。
【００５６】
まず、携帯時には、図１及び図９に示すように、第１の筐体３を第２の筐体５に対して閉じたコンパクトな状態とする。本実施形態の折畳み式携帯電話機１は、従来の携帯電話機のようにヒンジ部６の側面にロックを解除するための操作ボタンを設けておらず、さらに、圧縮コイルバネ１６が適度に回動式ボタン押圧部２１を押し戻すように寸法調整されているので、その付勢力に抗する力で第１の筐体３を左右いずれかの方向にスライド移動させない限り開かない。このため、折畳み式携帯電話機１を落下させたときの衝撃や鞄の中で動いたときなどに第１の筐体３がスライド移動して意図せず第１の筐体３が開いてしまうのが防止される。また、傷が入りやすい表示部２を内側にして第１の筐体３を閉じておけば、誤って第１の筐体３が開いて表示部に傷が付くことはない。
【００５７】
さらに、ロック解除用ボタン１５と回動式ボタン押圧部２１とが内側ボス部１１内に収容されているので、従来のようにヒンジ部６の側面にロック解除用のボタンが露出する場合に比べて極めて見映えがよい。
【００５８】
そして、図１に示す閉じ状態から、第１の筐体３をヒンジ部６の軸心に沿って左方、すなわち、第１の筐体３がロック解除用ボタン１５の押圧方向（図１０では右方）にスライドされたときには、内側ボス部１１も第１の筐体３と一緒にスライドする。このとき、図９に拡大して示すように、押圧部挿通用開口２３の周縁（第２ボス部１１ｄ）と回動式ボタン押圧部２１とは当接しているので、回動式ボタン押圧部２１が、内側ボス部１１側の第２ボス部１１ｄに押されて回動軸２１ａを中心にロック解除用ボタン１５側へ回動する。この回動量は、内側ボス部１１のスライド量よりも大きいので、結果として先端２１ｂによってロック解除用ボタン１５が押圧される。
【００５９】
すると、開操作補助用付勢機構のロックが解除され、第１の筐体３が第２の筐体５に対して開くように付勢する。
【００６０】
そして、第１の筐体３が第２の筐体５に対して開いている途中で、圧縮されていた圧縮コイルバネ１６が先端２１ｂを押圧するので、図１１に示すように、回動式ボタン押圧部２１が第２ボス部１１ｄに当接し、この当接点を視点として回動式ボタン押圧部２１が、てこの原理で第１の筐体３を左右中心位置に押し戻す。このため、手で第１の筐体３を左右中心位置に戻す必要がなく、開き操作が簡単である。そして、図２に示すように、第１の筐体３と第２の筐体５との左右中心が揃った状態で、第１の筐体３と第２の筐体５とが開く。第１の筐体３と第２の筐体５とを閉じるときには、手で第１の筐体３を押さえながら、開操作補助用付勢機構の付勢力に抗して第２の筐体５に向かって第１の筐体３を回動させて閉じる。
【００６１】
一方、図１及び図１２に示すように、第１の筐体３をヒンジ部６の軸心に沿って左方、すなわち、ロック解除用ボタン１５の押圧方向と反対側（図１２では、左方）へスライドさせれば、回動式ボタン押圧部２１の根元が押圧部支持用開口２２の内壁２２ｂに当接する。このとき、内側ボス部１１が第１の筐体３と一緒にスライドしても、スライド前に押圧部挿通用開口２３の周縁と回動式ボタン押圧部２１との間に隙間Ｃ１が保たれているので、回動式ボタン押圧部２１は、押圧部挿通用開口２３の周縁に当接せず、内壁２２ｂにより回動規制された状態にある。第１水平ヒンジ軸１３は、内側ボス部１１と共に移動するので、ロック解除用ボタン１５が、回動規制された状態で内壁２２ｂで反力を取る回動式ボタン押圧部２１の先端２１ｂに近付いて押圧される。
【００６２】
このように左右いずれの方向に第１の筐体３がスライドされても、１つの回動式ボタン押圧部２１でロック解除用ボタン１５を押圧することができる。ロック解除用ボタン１５が押されると、開操作補助用付勢機構のロックが解除され、第１の筐体３が第２の筐体５に対して開くように付勢する。第１の筐体３を押す際には、外側ボス部１０及び内側ボス部１１が第２の筐体５のボス部収容凹部２０上を左右いずれの方向にもスライド移動するので、スライド移動後に第１の筐体３が第２の筐体５に対して開くのを阻害しないように、第１の筐体３を押す指以外の指は、第２の筐体５をしっかりと握る。このため、第１の筐体３が開ききったときの反動が大きくても、その反動が原因で折畳み式携帯電話機１を落とすことはない。
【００６３】
このように、使用時には第１の筐体３を左右いずれかの方向へスライド移動させるだけで開く上、誤って反動で落とすことはないので、極めて使い勝手がよい。
【００６４】
したがって、本実施形態にかかる折畳み式携帯電話機１によると、反動で折畳み式携帯電話機１を落とすことなく左右いずれの方向からも簡単に開き操作が行えると共に、開き操作を行うボタンが外観に露出しないので、折畳み式携帯電話機１の見映えをよくすることができ、また意図せず第１の筐体３が開くのを防止することができる。
【００６５】
（その他の実施形態）
本発明は、上記実施形態について、以下のような構成としてもよい。
【００６６】
すなわち、上記第２水平ヒンジ軸１４を中空に形成し、この第２水平ヒンジ軸１４内に第１の筐体３内の基板と第２の筐体５内の基板とを電気的に接続する信号線を挿通してもよい。この場合には、ヒンジ部６内に信号線を通しているので、第１の筐体３が第２の筐体５に対して左右いずれの方向にスライド移動された場合でも、信号線が、第１の筐体３が開くのを阻害することはない。なお、内側ボス部１１内に信号線を通してもよい。
【００６７】
また、上記実施形態では、第１水平ヒンジ軸１３を左側に配置し、第２水平ヒンジ軸１４を右側に配置したが、これらは左右逆に配置してもよい。この場合には、ヒンジ部６全体を左右逆に構成すればよい。
【００６８】
上記実施形態では、押し戻し機構として、ロック解除用ボタン１５の外周に圧縮コイルバネ１６を嵌め込んだが、これに限定されず、例えば、圧縮コイルバネ等で内側ボス部１１と共にスライドするスライド部材２５を付勢するようにしてもよい。
【００６９】
また、上記実施形態では、折畳み式携帯端末は、折畳み式携帯電話機としたが、折畳み式のＰＨＳ、ＰＤＡ、ＰＣ、モバイルツール、電子辞書、電卓、ゲーム機等であってもよい。
【００７０】
なお、以上の実施形態は、本質的に好ましい例示であって、本発明、その適用物や用途の範囲を制限することを意図するものではない。
【符号の説明】
【００７１】
１      折畳み式携帯電話機（折畳み式携帯端末）
２      表示部
３      第１の筐体
４      操作部
５      第２の筐体
６      ヒンジ部
１０      外側ボス部
１１      内側ボス部
１３      第１水平ヒンジ軸
１４      第２水平ヒンジ軸
１５      ロック解除用ボタン
１６      圧縮コイルバネ（押し戻し機構）
２０      ボス部収容凹部
２１      回動式ボタン押圧部
２１ａ    回動軸
２１ｂ    先端
２３      押圧部挿通用開口
【図１】
2010283692.tif 000003
【図２】
2010283692.tif 000004
【図３】
2010283692.tif 000005
【図４】
2010283692.tif 000006
【図５】
2010283692.tif 000007
【図６】
2010283692.tif 000008
【図７】
2010283692.tif 000009
【図８】
2010283692.tif 000010
【図９】
2010283692.tif 000011
【図１０】
2010283692.tif 000012
【図１１】
2010283692.tif 000013
【図１２】
2010283692.tif 000014